(57)【要約】【課題】  電話回線に接続される送受信機を備えた親機と、上記親機と無線で結ばれる子機とを具備し、上記親機を介して、上記子機が外線と接続されるコードレス電話装置において、カウントダウン中のアラーム機能が有効であるときに、電話機の機能である着信を行なうことができ、しかも、着信しても、カウントダウン中のアラーム機能が無効にならないコードレス電話を提供することを目的とするものである。【解決手段】  電話回線に接続される送受信機を備えた親機と、上記親機と無線で結ばれる子機１１０とを具備し、上記親機を介して、上記子機１１０が外線と接続されるコードレス電話装置において、互いに異なる２つのタイマ手段が、上記子機１１０に設けられているコードレス電話装置である。【選択図】  図１
2005124094.tif 000002
【特許請求の範囲】
【請求項１】
電話回線に接続される送受信機を備えている親機と、上記親機との間で無線で結ばれる子機とを具備し、上記親機を介して、上記子機が外線と接続されるコードレス電話装置において、
互いに異なる２つのタイマ手段が、上記子機に設けられていることを特徴とするコードレス電話装置。
【請求項２】
請求項１において、
上記互いに異なる２つのタイマ手段は、第１のタイマ手段と第２のタイマ手段であり、
上記第１のタイマ手段は、指定時刻に、アラームを鳴動する鳴動手段であり、
上記第２のタイマ手段は、指定した時間をカウントダウンし、カウント０になると、アラームを鳴動する鳴動手段であることを特徴とするコードレス電話装置。
【請求項３】
請求項２において、
上記互いに異なる２つのタイマ手段は、互いに異なるアラーム音で鳴動する手段であることを特徴とするコードレス電話装置。
【請求項４】
請求項２において、
上記互いに異なる２つのタイマ手段は、上記２つの鳴動手段が同時に起動することを阻止する制御手段を具備する手段であることを特徴とするコードレス電話装置。
【請求項５】
請求項２において、
上記互いに異なる２つのタイマ手段は、上記２つの鳴動手段を同時に起動させる制御手段を具備する手段であることを特徴とするコードレス電話装置。
【請求項６】
請求項４において、
カウントダウンタイマ起動中に着信があった場合、上記タイマ手段を停止させた後に、着信応答することを特徴とするコードレス電話装置。
【請求項７】
電話回線に接続される送受信機を備えている親機と、上記親機との間で無線で結ばれる子機とを具備し、上記親機を介して、上記子機が外線と接続されるコードレス電話装置において、
上記子機が、
指定した時間が経過したことを検出するタイマ手段と；
上記指定時間が経過した後に、アラームを鳴らすカウントダウンタイマ手段と；
カウントダウンタイマ起動中に着信があった場合に、着信による鳴動を阻止し、表示部またはＬＥＤの点灯によって知らせる制御手段と；
を有することを特徴とするコードレス電話装置。
【発明の詳細な説明】
【技術分野】
【０００１】
本発明は、タイマ手段を有するコードレス電話装置に関する。
【背景技術】
【０００２】
従来、時計機能を連動し、指定した時刻にアラームを鳴らすタイマ手段であるモーニングコール機能を有するものが知られている（たとえば、特許文献１参照）。
【０００３】
時間を測定するときに動作させるキッチンタイマを、電気湯沸かし器に使用することが提案されている（たとえば、特許文献２参照）。これらは単独機能として動作し、カウント終了後に、他の動作が行われる。
【０００４】
上記のようなキッチンタイマ手段は、キッチン周りの電気製品に付加されているが、このようなタイマ手段は、コードレス電話装置の子機１１０のようにキッチンにも、リビングにも、家庭内の設置フリーで設置できるものに付加することが好ましい。
【特許文献１】特開平５−０３００１６号公報
【特許文献２】特開２００２−２２３９４５号公報
【発明の開示】
【発明が解決しようとする課題】
【０００５】
しかし、モーニングコール機能だけを子機１１０に搭載した場合、プラス用途が制限される。つまり、子機１１０は、二次電池で駆動するので携帯性に優れ、家庭内のどこにでも設置することができる利点を、有効に生かすことができないという問題がある。
【０００６】
また、指定時間が経過したときに、アラーム鳴動するキッチンタイマ手段を設けることによって、利用範囲が広がるが、電話機であるがゆえに、タイマ起動中であっても着信があり、この着信時に、着信を優先すると、カウントダウン中のアラーム機能が無効になり、逆にカウントダウンタイマを優先すると、電話機の機能である着信することができないという問題がある。
【０００７】
本発明は、カウントダウン中のアラーム機能が有効であるときに、電話機の機能である着信を行なうことができ、しかも、着信しても、カウントダウン中のアラーム機能が無効にならないコードレス電話を提供することを目的とするものである。
【課題を解決するための手段】
【０００８】
本発明は、電話回線に接続される送受信機を備えた親機と、上記親機と無線で結ばれる子機１１０とを具備し、上記親機を介して、上記子機１１０が外線と接続されるコードレス電話装置において、互いに異なる２つのタイマ手段が、上記子機１１０に設けられているコードレス電話装置である。
【発明の効果】
【０００９】
本発明によれば、電話回線に接続される送受信機を備えた親機と、上記親機と無線で結ばれる子機１１０とを具備し、上記親機を介して、上記子機１１０が外線と接続されるコードレス電話装置において、カウントダウン中のアラーム機能が有効であるときに、電話機の機能である着信を行なうことができるという効果を奏し、しかも、着信しても、カウントダウン中のアラーム機能が無効にならないという効果を奏する。
【発明を実施するための最良の形態】
【００１０】
発明を実施するための最良の形態は、次の実施例である。
【実施例１】
【００１１】
図１は、本発明の実施例１であるコードレス電話子機１１０とコードレス電話親機１００との概略を示す図である。
【００１２】
コードレス電話親機１００は、親機の表示部１０１と、親機の操作部１０２と、ハンドセット１０３と、子機１１０と無線通信する親機アンテナ１０４とを有する。
【００１３】
有線回線１３０は、親機１００と公衆網１３１とを接続する有線回線である。
【００１４】
また、コードレス電話子機１１０は、子機１１０の表示部１１１と、子機１１０の操作部１１２と、アンテナ１１３とを有する。アンテナ１１３は、外部に構成されているが、内蔵アンテナであってもよい。
【００１５】
図２は、コードレス電話親機１００の内部構成を示す図である。
【００１６】
コードレス電話親機１００は、ＣＰＵ２０１と、ＲＯＭ２０２と、ＲＡＭ２０３と、通信制御部２０４と、ＤＳＰ２０５と、音源部２０６と、クロスポイントスイッチ部２０７と、ハンドセット１０３と、スピーカ２０９と、本体マイク２１０と、記録部２１１と、読取部２１２と、センサ部２１３と、表示部１０１と、操作部１０２と、フック検出部２１６と、無線部２１７とを有する。
【００１７】
ＣＰＵ２０１は、データバス２１９を介して、各部を制御し、各部から入力した信号に応じて、データバス２１９に接続されている各構成要素を制御する。すなわち、ＣＰＵ２０１は、ＲＯＭ２０２に格納されている呼処理プログラムに従って、通話に伴う呼処理や、各種サービス機能に伴う処理を実行する。
【００１８】
サービス機能の一具体例として、ＣＰＵ２０１は、ユーザによってメール機能が起動され、文字メッセージが作成されると、その文字メッセージを、テキストデータとしてＲＡＭ２０３に記憶する。
【００１９】
ＲＯＭ２０２は、ＤＳＰ２０５を制御したデータモデムによるメールの送受信、ファクシミリモデムとしてのファクシミリ装置送受信、ナンバーディスプレイの表示、音声合成信号の出力を実現するためのプログラムを格納している。また、ＲＯＭ２０２は、データの書込み、消去が可能なＥＥＰＲＯＭまたはフラッシュＲＯＭで構成されていてもよい。
【００２０】
ＲＡＭ２０３は、ＣＰＵ２０１が呼処理を含むＷＥＢ閲覧や、メール送受信の各処理を実行する場合に使用するメモリである。ＲＯＭ２０２とは異なり、一時的なデータが記憶される。ＲＡＭ２０３は、電池等でバックアップされ、作成した文字メッセージや受信した文字メッセージ、各種サービス機能の設定内容や電話帳に登録した内容を記憶する。また、不揮発性のメモリとしてのＥＥＰＲＯＭ等で構成されていてもよい。
【００２１】
通信制御部２０４は、公衆回線１３０を収容するインタフェースであり、アナログ回線の場合、局交換機の電話回線（以後、加入者線という）に接続され、ダイオードによる全波整流回路によって構成され、回線電圧の極性を一致させる極性一致回路、回路局交換機の加入者線に接続され、局交換機からの呼出信号を検出するリンガー検出回路、オフフック操作が行われると回線ループを形成するとともに、局に対してダイヤルパルスを送出するフックスイッチ回路、２線−４線変換を行うためのトランス回路で構成されている。
【００２２】
上記実施例において、アナログ回線をもとに記載しているが、ＩＳＤＮやブロードバンド回線等のデジタル回線によって構成されていてもよい。
【００２３】
ＤＳＰ２０５は、デジタル信号処理プロセッサであり、ＤＳＰとＡＦＥ（アナログフロントエンド）とによって構成され、機能的には、ＷＥＢ閲覧やメールの送受信を行うためのデータモデム機能や、Ｇ３ファクシミリ装置によるファクシミリの送受信を行うファクシミリモデムの機能を、ＣＰＵ２０１の制御によって実現する。
【００２４】
さらに、モデムデータ（ナンバーディスプレイデータ）の解析を行うナンバーディスプレイ機能と、文字データよりも人工的な音声信号を生成出力する音声合成の機能を備えている。音声合成機能は、ＣＰＵ２０１の制御によって入力した文字データを音声合成し、アナログ音声信号としてクロスポイントスイッチ２０７に出力する音声合成部である。すなわち、音声合成機能は、ＣＰＵ２０１の制御によって入力された文字コードを５０音分の音声データに変換し、再生する音声合成発声機能を備えている。なお、５０音分の音声データは、ＲＯＭ２０２内に記憶されている。
【００２５】
音源部２０６は、保留音や着信メロディの音源であり、内部に音源データ生成機能をもち、ＲＯＭ２０２に記憶されているデータに基づいて、ＣＰＵ２０１の制御によってアナログ信号を出力する。また擬似ＤＴ、ＢＴ、ＲＢＴ等のコールプログレストーンを出力するための音源も兼ねるようにしてもよい。
【００２６】
クロスポイントスイッチ部２０７は、ＣＰＵ２０１からの制御によって、ＤＳＰ２０５からの信号や後述する音源部２０６、ハンドセット１０３、スピーカ２０９、本体マイク２１０、無線部２１７等のアナログ入出力信号の通信制御部２０４への入出力の切り替えを行う。
【００２７】
ハンドセット１０３は、音声の入出力を行う。スピーカ２０９は、着信音や記憶した音声データの出力およびファクシミリ装置通信時のモニタを行う。
【００２８】
本体マイク２１０は、スピーカホン機能を実現する場合に、音声入力手段として使用する。
【００２９】
記録部２１１は、感熱型、熱転写型プリンタ、またはレーザビームプリンタ、インクジェットプリンタ等の周知の印字手段を備え、ＭＨ、ＭＲ、ＭＭＲ符号化されたデジタルデータを複合化し、この復号化したデータを、印字データとして印字を行う。
【００３０】
読取部２１２は、ＣＣＤまたは密着型センサアレイ等の周知の原稿読取手段を備え、読取手段で読み取ったアナログデータをデジタルデータに変換するとともに、この変換されたデジタルデータを、ＭＨ、ＭＲ、ＭＭＲ符号化等の周知の符号化方法によって符号化し出力する。
【００３１】
センサ部２１３は、読取部２１２上の送信原稿の有無や、サイズを検出し、その結果をＣＰＵ２０１に通知する。また、記録部２１１上の記録紙の有無や、サイズを検出し、この検出結果を、ＣＰＵ２０１に通知する。
【００３２】
表示部１０１は、インターネット上のサーバから受信したＨＴＭＬの情報を表示するとともに、時刻を表示し、通信中の回線状態およびエラー等の状態を表示し、主にカラーＬＣＤや、モノクロＬＣＤ等の液晶部品等によって構成されている。
【００３３】
また、表示部１０１は、キー入力等を行う操作部１０２においてキー入力された文字メッセージや、受信した文字メッセージも表示する。さらに、表示部１０１は、電話機の各種サービス機能の設定内容を表示する。
【００３４】
操作部１０２は、ダイヤル番号やＵＲＬ等を、０−９、＊、＃、上記キーを利用しアルファベットや記号等を入力するためのダイヤルキー、ファクシミリの送受信を制御する送信、受信キー、回線のＯＮ／ＯＦＦを制御するオフフックキー、その他保留キー、機能設定を行うためのセレクトキー等のキーによって構成されている。
【００３５】
操作部１０２は、メール送信時に、文字メッセージを入力し、編集する文字入力手段として機能する。さらに、メール機能を起動し、文字メッセージの送信処理、受信処理を行う場合も、操作部１０１を用いる。また、メール機能によって作成した文字メッセージや受信した文字メッセージを音声出力し、設定したサービス機能の内容を音声出力する場合も、操作部１０２の所定のキーを操作する。
【００３６】
操作部１０２において、子機１１０が選択されると、親機端末１００と無線端末とが無線によって接続され、音声パスが形成される。
【００３７】
フック検出部２１６は、特にハンドセット１０３のＯＮ／ＯＦＦを検出し、回線ＯＮ／ＯＦＦを制御する。
【００３８】
無線部２１７は、コードレス電話子機１１０と接続させる親機無線部であり、モデム・コンパンダ、秘話・アンプ機能を具備するベースバンド部と、ベースバンド部からの変調信号を無線送信可能な形式に変換し、アンテナ１０４に送り、アンテナ１０４で無線受信した信号から、変調信号を取り出し、ベースバンド部に出力する。
【００３９】
子機１１０と通話するには、通信制御部が着信を検出し、制御部から無線部に受信信号を起動し、これによって、無線部が、着信データ信号を無線信号に変調し、コードレス子機１１０へ送出する。この信号を、コードレス電話子機１１０が応答することによって、通信制御部で着信した呼を接続し、クロスポイントスイッチ部を介して、無線部を接続し、無線通話を形成する。
【００４０】
コードレス電話親機１００は、音声通話機能の他に、ＷＥＢ閲覧や、文字メッセージを送受信できるメール機能やファクシミリ装置機能を有する。
【００４１】
図３は、コードレス電話子機１１０の内部構成を示す図である。
【００４２】
コードレス電話子機１１０は、ＣＰＵ３０１と、ＲＯＭ３０２と、ＲＡＭ３０３と、ベースバンド部３０４と、無線部３０５と、アンテナ１１３と、表示部１１１と、操作部１１２と、スピーカ３０９と、レシーバ３１０と、マイク３１１とを有する。
【００４３】
ＣＰＵ３０１は、コードレス電話子機１１０全体を制御する。
【００４４】
子機１１０は、現時刻を計時するタイマ手段と、指定した時刻と現時刻とを比較し、指定した時刻になったら、知らせる第１のタイマ手段と、現時刻とは関係なく、指定した時間分をカウントダウンし、カウント０になったら、知らせる第２のタイマ手段とを内蔵している。
【００４５】
ＲＯＭ３０２は、ＣＰＵ３０１の制御プログラムが格納されているＲＯＭ、無線通信システムの呼出符号（システムＩＤ）、コードレス電話子機１１０の子機番号ＩＤ等を記憶するＥＥＰＲＯＭや、親機１００からメールを受信した時に、文字データを格納し、電話帳データを記憶するフラッシュＲＯＭによって構成されているようにしてもよい。ＲＡＭ３０３は、ＣＰＵ３０１の処理において、その制御のためのワークエリアである。
【００４６】
操作部１１２は、ダイヤル番号等を入力するダイヤルキーや、タイマモードを選択するキー、通話キー、切るキー、保留キー、スピーカキー、電話帳キー等の機能キーによって構成されている。
【００４７】
表示部１１１は、タイマの起動や着信の表示、操作部１１２を介して入力されるダイヤル番号や、公衆回線の使用状況等を表示する。
【００４８】
ベースバンド部３０４は、モデム・コンパンダ、秘話・アンプ機能を有し、制御データと音声信号とを送受信する。ベースバンド部３０４からの変調信号を、無線部３０５を介して、親機１００に伝送するとともに、無線部３０５からの変調信号を復調し、制御信号は、ＣＰＵ３０１に出力され、音声信号は、スピーカ３０９へ出力される。
【００４９】
無線部３０５は、ベースバンド部３０４からの変調信号を、無線送信可能な形式に変換し、アンテナ１１３に送り、アンテナ１１３で無線受信した信号から、変調信号を取り出し、ベースバンド部３０４に出力する。マイク３１１は、通話音声信号を入力する。
【００５０】
スピーカ３０９は、タイマ手段からのアラーム音を発生し、音声信号を拡声出力し、着信音等を鳴動させる。レシーバ３１０は、通話音声信号を出力する。
【００５１】
コードレス電話子機１１０において、異なる２つのタイマ手段（第１のタイマ手段、第２のタイマ手段）を設け、上記２つのタイマ手段によって、設定された時間分をカウントし、カウントアップした場合のアラームを鳴動するタイマ手段を設け、カウントダウン中に着信があった場合に、カウントダウンを中止することなく、着信を表示することができる。
【００５２】
次に、ユーザ操作によってタイマ選択を行い、タイマ起動中に着信があっても、タイマ起動を継続したまま着信を知らせる動作について説明する。
【００５３】
図４は、ユーザ操作によってタイマ選択を行い、タイマ起動中に着信があっても、タイマ起動を継続したまま着信を知らせる動作を示すフローチャートである。
【００５４】
Ｓ１では、子機１１０のスタートによって、子機１１０はスタンバイになる。そして、Ｓ２では、子機１１０のメニューを介して、互いに異なる第１、第２のタイマから、１つのタイマを選択する。選択画面は、図４に示す画面Ｇ１のように表示して選択させる。
【００５５】
Ｓ２では、モーニングコールが選択された場合、Ｓ１３では、時刻が設定されているかどうかを、制御部が判断し、時刻登録がされていなければ、終了し、スタンバイに戻る。時刻が設定されていれば、Ｓ１４で、鳴動時刻を設定し、鳴動時刻が判定される。そして、Ｓ１５では、設定時刻になったかどうかを判断し、その時刻になれば、Ｓ１６で、モーニングコールとしてアラームを鳴らす。このときのアラーム音は、モーニングコール専用鳴動音である。
【００５６】
Ｓ２のタイマ選択によって、キッチンタイマが選択されると、Ｓ３では、タイマ設定を行い、この際の時間設定は、秒単位に設定することができる。
【００５７】
次に、Ｓ４では、タイマを起動する。この際の起動中表示を、図４に示す画面Ｇ２で示す。Ｓ５では、タイマ起動中に、カウントダウンを継続する。そして、Ｓ６では、タイムアップを判断する。
【００５８】
カウントダウン判定において、タイムアップを検出したら、Ｓ７では、キッチンタイマとしてのアラーム音を鳴動させる。このときのアラーム音は、キッチンタイマ専用の鳴動音である。ここで、上記アラームは、プログラムに予め設定されている時間分だけ鳴動し、終了するようにし、ユーザ操作によって鳴動を停止することができる。タイムアップしたときの表示を、図４に示す画面Ｇ３で示す。
【００５９】
Ｓ６では、タイムアップしていない状況で、着信が入ったら（Ｓ８）、キッチンタイマのカウントダウンを継続し、Ｓ９では、表示部で、着信を表示する。例として、外線着信だった場合、図４に示す画面Ｇ４に示すように表示する。また、内線着信である場合、ドアホン着信、メール着信である場合に、それぞれの状態が分かるように表示する。
【００６０】
次に、上記着信に応答する場合と、応答しない場合とをＳ１０で判断し、タイマ起動中の子機１１０が応答しない場合、タイムアップで、上記説明した動作を実行する。
【００６１】
親機１００や、ほかに増設されている子機１１０で応答するときも、タイマ起動中の子機１１０は、カウントダウンを継続する。
【００６２】
Ｓ１０では、上記着信に、タイマ起動中の子機１１０が応答する場合、Ｓ１１では、子機１１０の操作部において、タイマを停止させてから、Ｓ１２で、着信に応答する。これは、通話中にタイムアップを知らせるアラーム鳴動することによる通話の妨害を排除するために、タイマの停止をする。
【００６３】
上記実施例は、電話回線に接続される送受信機を備えている親機と、上記親機との間で無線で結ばれる子機１１０とを具備し、上記親機を介して、上記子機１１０が外線と接続されるコードレス電話装置において、互いに異なる２つのタイマ手段が、上記子機１１０に設けられているコードレス電話装置の例である。
【００６４】
この場合、上記互いに異なる２つのタイマ手段は、第１のタイマ手段と第２のタイマ手段であり、上記第１のタイマ手段は、指定時刻に、アラームを鳴動する鳴動手段であり、上記第２のタイマ手段は、指定した時間をカウントダウンし、カウント０になると、アラームを鳴動する鳴動手段である。
【００６５】
また、上記互いに異なる２つのタイマ手段は、互いに異なるアラーム音で鳴動する手段である。
【００６６】
さらに、上記互いに異なる２つのタイマ手段は、上記２つの鳴動手段が同時に起動することを阻止する制御手段を具備する手段である。
【００６７】
そして、上記互いに異なる２つのタイマ手段は、上記２つの鳴動手段を同時に起動させる制御手段を具備する手段である。
【００６８】
また、カウントダウンタイマ起動中に着信があった場合、上記タイマ手段を停止させた後に、着信応答する。
【００６９】
さらに、電話回線に接続される送受信機を備えている親機と、上記親機との間で無線で結ばれる子機１１０とを具備し、上記親機を介して、上記子機１１０が外線と接続されるコードレス電話装置において、上記子機１１０は、指定した時間が経過したことを検出するタイマ手段と、上記指定時間が経過した後に、アラームを鳴らすカウントダウンタイマ手段と、カウントダウンタイマ起動中に着信があった場合に、着信による鳴動を阻止し、表示部またはＬＥＤの点灯によって知らせる制御手段とを有する。
【００７０】
電話機であるがゆえにタイマ起動中であっても着信があり、この着信を優先するとカウントダウン中のアラーム機能が無効になる。そこで、上記実施例では、カウントダウンタイマ起動中は、このタイマ手段を優先とし、もちろん、着信が入っていることをユーザに知らせる必要があるので、タイマ起動中の子機１１０でも、ＬＣＤ等の表示部や、ＬＥＤ等の点灯、点滅によって着信状態を示すことができ、設定したタイマ手段も、タイマ起動中の着信も逃すことなく実施できる。さらに、タイマ起動中に着信応答できなくしているのは、通話中にタイマ起動音が鳴動すると、通話の妨げになり、これを防ぐ。
【図面の簡単な説明】
【００７１】
【図１】本発明の実施例１であるコードレス電話子機１１０とコードレス電話親機１００との概略構成を示す図である。
【図２】コードレス電話親機１００の内部構成を示す図である。
【図３】コードレス電話子機１１０の内部構成を示すである。
【図４】ユーザ操作によってタイマ選択を行い、タイマ起動中に着信があっても、タイマ起動を継続したまま着信を知らせる動作を示すフローチャートである。
【符号の説明】
【００７２】
１００…コードレス電話親機、
１０１…表示部、
１０２…操作部、
１０３…ハンドセット、
１１０…コードレス電話子機、
１１１…子機表示部、
１１２…子機操作部。
【図１】
2005124094.tif 000003
【図２】
2005124094.tif 000004
【図３】
2005124094.tif 000005
【図４】
2005124094.tif 000006